(57)【要約】【課題】  被梱包品と、これが載置される木枠下台との間にクッション材を介装して、落下時等の衝撃を吸収緩和する構造が実施されているが、大きな衝撃が加わるとクッション材が底突きして或る程度以上の衝撃吸収はなし得ない課題がある。【解決手段】  被梱包品１２が載置される木枠下台１４を、ボルト２４とナット２２を使用して被梱包品１２に固定するに際し、前記クッション材２８が底突きする以前の状態で、該木枠下台１４の中央が被梱包品１２に向けてアーチ状に上方へ湾曲させることにより、木枠下台１４に弾性力が蓄積されるようにした。これにより被梱包品１２が落下して衝撃が加わっても、一次的に前記クッション材２８が吸収し、二次的に前記木枠下台１４の弾性力を解放して該衝撃を更に吸収緩和させるという相乗作用が得られる。【選択図】図５
2015205704.tif 000002
【特許請求の範囲】
【請求項１】
被梱包品(12)と、この被梱包品(12)が載置される木枠下台(14)とからなる梱包構造において、
前記被梱包品(12)の底面(12a)と前記木枠下台(14)との間に位置する複数のクッション材(28)と、
前記被梱包品(12)の底面(12a)に設けられて、前記複数のクッション材(28)の間に位置するナット(22)と、
前記木枠下台(14)に前記クッション材(28)を介して前記被梱包品(12)を載置した際に、前記ナット(22)と軸線が整列するよう前記木枠下台(14)に開設した貫通孔(26)と、
前記木枠下台(14)の貫通孔(26)に下方から挿通されて、前記ナット(22)へ捩じ込み可能なボルト(24)とからなり、
前記ボルト(24)を前記ナット(22)に捩じ込んで締め上げるに連れて、先ず前記クッション材(28)が前記被梱包品(12)と木枠下台(14)とにより挟圧されて圧縮され、次いで前記クッション材(28)の圧縮耐力が前記木枠下台(14)の圧縮耐力に優越すると、該木枠下台(14)が前記被梱包品(12)の底面(12a)へ向けて湾曲することで、該木枠下台(14)の衝撃吸収特性を向上させるよう構成した
ことを特徴とする被梱包品の梱包構造。
【請求項２】
前記クッション材(28)の圧縮耐力を前記木枠下台(14)の圧縮耐力よりも大きく設定することで、前記ナット(22)に対して前記ボルト(24)を締め上げるに連れ、前記被梱包品(12)の底面(12a)と前記木枠下台(14)との間で前記クッション材(28)は圧縮されるが、その圧縮限界に達して底突きする前に、前記木枠下台(14)が前記被梱包品(12)の底面(12a)に向けてアーチ状に湾曲するに到る請求項１記載の被梱包品の梱包構造。
【請求項３】
前記複数のクッション材(28)は、前記被梱包品(12)における底面(12a)の端縁に設けられ、前記底面(12a)に設けられる前記ナット(22)は、これら複数のクッション材(28)に挟まれた中間部位に位置している請求項１記載の被梱包品の梱包構造。
【請求項４】
前記複数のクッション材(28)は、前記木枠下台(14)の上方端縁に設けられ、該木枠下台(14)に開設される前記貫通孔(26)は、これら複数のクッション材(28)に挟まれた中間部位に位置している請求項１記載の被梱包品の梱包構造。
【請求項５】
前記木枠下台(14)は、左右一対の側板(16)と、各側板(16)の上面に位置して両側板(16)を接続する上板(18)と、各側板(16)の下面に位置して両側板(16)を接続する下板(20)とからなり、
前記上板(18)は、その中間部において左右に分離されている請求項１記載の被梱包品の梱包構造。
【請求項６】
前記木枠下台(14)は、左右一対の側板(16)と、各側板(16)の上面に位置して両側板(16)を接続する上板(18)と、各側板(16)の下面に位置して両側板(16)を接続する下板(20)とからなり、
前記側板(16)をクッション材(28)で構成した請求項１記載の被梱包品の梱包構造。
【請求項７】
前記木枠下台(14)は、左右一対の側板(16)と、各側板(16)の上面に位置して両側板(16)を接続する上板(18)と、各側板(16)の下面に位置して両側板(16)を接続する下板(20)とからなり、
前記上板(18)の下面と前記側板(16)の上面との間にクッション材(28)が配設されている請求項１記載の被梱包品の梱包構造。
【発明の詳細な説明】
【技術分野】
【０００１】
この発明は、木枠の下台に冷蔵庫等の被梱包品を載置して梱包した荷姿において、例えば運搬中に落下させた際に生ずる衝撃を吸収する特性が優れた梱包構造を提供するものである。
【背景技術】
【０００２】
例えば、冷蔵庫や洗濯機等の製品を工場から出荷する場合は、輸送や倉庫保管に際し、これら製品を保護するため段ボール箱等に収納した荷姿とされる。また前記製品が重量物の場合は、木材や段ボールブロック等を材質とする下台を用意し、この下台に前記製品を載置した状態で段ボール箱に収納すると共に、必要に応じて上下にタイバンドで結束するようになっている。そこで、或る程度重量が嵩む製品を下台に載置する梱包の形態について、図１１および図１２を参照して説明する。本発明は、製品を下台に載置する梱包形態に関するものであるから、この製品を「被梱包品」といい、また梱包形態を「梱包構造」と称することにする。更に被梱包品としては、大型で重量の嵩む業務用冷蔵庫を例示するが、これに限らず種々の重量品に適用し得ることは勿論である。
【０００３】
図１１は、観音開き式の扉１０を上下に２区画備えた大型の冷蔵庫(被梱包品)１２を、下台１４に載置した状態で示す正面図である。前記下台１４は、木材の板片や角材を枠状に組んだ木枠からなり、図１２(ｂ)に示すように、左右で対をなす側板１６と、各側板１６の上面に掛け渡されて両側板１６を接続する上板１８と、各側板１６の下面に掛け渡されて両側板１６を接続する下板２０とから構成されている。図示の木枠下台１４で、上板１８は、所定間隔だけ平行に分離させた２枚の板材から構成され、同じく下板２０も所定間隔だけ平行に分離させた２枚の板材から構成されている。なお側板１６は左右だけでなく、両側板の間に中央側板１６が設けられている。但し、上板１８および下板２０は、多数の板を敷き詰めてフラットな平面としたものであっても、また多数の板を透かせて簀子状に張ったものであってもよい。更に、前記中央側板１６の存在は必須ではない。
【０００４】
図１１に示す如く前記木枠下台１４の上に被梱包品１２を載置した後に、外装用の段ボール箱(図示せず)に収納される。しかし、被梱包品１２は重量物であるために、運搬中に前記木枠下台１４から位置ズレを生ずる恐れがある。このため被梱包品１２は、木枠下台１４にボルトにより定位置に固定するようになっている。すなわち図１２(ｃ)に示す如く、被梱包品１２の底面１２ａには貫通孔１２ｂが開設され、該底面１２ａの上側に該貫通孔１２ｂと整列してナット２２が溶接により固定される。前記ナット２２の雌ネジ孔は、上方に貫通していない所謂「袋ナット」を採用するのが好ましい。また、該ナット２２に代えて、前記底面１２ａに雌ネジ孔を直接タップ切りしてもよい。従って本明細書で説明するナット２２は、機械要素としてのナットだけでなく、ボルト(後述)の螺挿を許容するよう前記底面１２ａに螺切した雌ネジ孔も含むものである。
【０００５】
また図１２(ｂ)に示すように、木枠下台１４における上板１８には、前記ナット２２に捩じ込み得るボルト２４の挿通を許容する貫通孔２６が縦に開設されている。この貫通孔２６の開設位置は、図１２(ｃ)に示すように、前記被梱包品１２を前記木枠下台１４に正しく載置した際に、前記底面１２ａに設けた前記ナット２２の軸線に該貫通孔２６の軸線が整列する位置に設定してある。図１２(ａ)および(ｂ)では、前記ナット２２および貫通孔２６は夫々２つ設けてあるが、これは適宜の数に設定可能である。
【０００６】
図１２(ｃ)は、被梱包品１２を木枠下台１４に載置した後に、両部材を前記ボルト２４で締付け固定する状態を示す部分縦断面図である。すなわち被梱包品１２を木枠下台１４の正しい位置に載置すると、底面１２ａに設けた前記ナット２２の軸線と前記貫通孔２６の軸線とが縦に一直線に整列する。この状態で、前記ボルト２４を前記上板１８の下方から前記貫通孔２６に挿通すると、該ボルト２４の先端が前記ナット２２の螺旋溝に整合する。次いで、前記ボルト２４をナット２２に捩じ込むことで、前記ボルトとナットとは確実に締結され、これにより被梱包品１２は木枠下台１４に定位置で固定される。しかし、図１１および図１２に示した梱包構造では、被梱包品１２を地面へ落下させたりして木枠下台１４に強い衝撃を与えると、この木枠下台１４だけでは衝撃を吸収できない場合がある。このときは、吸収し切れなかった衝撃が被梱包品１２に直接伝達されてしまい、被梱包品１２における底面１２ａの変形や被梱包品１２そのものの内部構造に損傷等を来す欠点がある。
【先行技術文献】
【特許文献】
【０００７】
【特許文献１】特開２０１０−３０６２１号公報
【発明の概要】
【発明が解決しようとする課題】
【０００８】
前述の欠点を克服するものとして特開２０１０−３０６２１号公報の図２には、例えば被梱包品である冷蔵庫の底面の四隅に、合成樹脂を材質とする厚肉のクッションを配設し、被梱包品を前記クッションを介して木枠下台に載置する梱包構造が提案されている。前記クッションは、冷蔵庫底面に本来取り付けられる４本の脚部を取り外し、前記４つの脚部の配設位置に設けたものである。これら被梱包品と木枠下台との間は、前記クッション以外のものは存在しないので、両部材の間には所要の空間が確保されている。このように構成することで、運搬等の取り扱い時に落下・衝突等に起因する衝撃が加わっても、前記クッションが圧縮されたり撓んだりして衝撃を吸収することができる。すなわち木枠下台に衝撃が加わっても、前記クッションがそれを吸収するために、被梱包品へ損傷等の被害が拡大するのが防止される。
【０００９】
しかし前記梱包構造では、４つのクッションが木枠下台に接地している面積が小さいために、外来の衝撃が大きい場合は、その程度により前記クッションが圧縮限界を超えて底突きし、衝撃を吸収し切れず被梱包品に直接該衝撃を伝えてしまうことがある。また前記クッション自体が破損してしまい、衝撃吸収特性を充分発揮できないこともある。更に、前述の如く、各クッションの木枠下台に対する接地面積は小さいために、被梱包品の底面に衝撃応力が集中し易く、該被梱包品を破損させてしまう恐れもあった。
【００１０】
本発明は、従来技術が内在している前記欠点に鑑み、これを解消するべく提案されたものであって、例えば梱包構造を落下させて衝撃が木枠下台に加わった場合に、一次的に被梱包品と木枠下台との間に介在させたクッション材で前記衝撃を吸収し、その衝撃の程度が更に大きい場合には、二次的に木枠下台が変形して該衝撃を吸収させるようにしたものである。
【課題を解決するための手段】
【００１１】
前記課題を解決し、所期の目的を達成するため、請求項１に記載の発明は、被梱包品と、この被梱包品が載置される木枠下台とからなる梱包構造において、
前記被梱包品の底面と前記木枠下台との間に位置する複数のクッション材と、
前記被梱包品の底面に設けられて、前記複数のクッション材の間に位置するナットと、
前記木枠下台に前記クッション材を介して前記被梱包品を載置した際に、前記ナットと軸線が整列するよう前記木枠下台に開設した貫通孔と、
前記木枠下台の貫通孔に下方から挿通されて、前記ナットへ捩じ込み可能なボルトとからなり、
前記ボルトを前記ナットに捩じ込んで締め上げるに連れて、先ず前記クッション材が前記被梱包品と木枠下台とにより挟圧されて圧縮され、次いで前記クッション材の圧縮耐力が前記木枠下台の圧縮耐力に優越すると、該木枠下台が前記被梱包品の底面へ向けて湾曲することで、該木枠下台の衝撃吸収特性を向上させるよう構成したことを要旨とする。
請求項１に係る発明によれば、被梱包品と木枠下台との間に介在するクッション材と、前記木枠下台が湾曲して溜め込んだ弾力性とにより、該梱包構造の落下時の衝撃を両者の相乗作用により効果的に吸収し、これにより被梱包品の底面等の損傷を有効に防止することができる。
【００１２】
請求項２に記載の発明は、前記クッション材の圧縮耐力を前記木枠下台の圧縮耐力よりも大きく設定することで、前記ナットに対して前記ボルトを締め上げるに連れ、前記被梱包品の底面と前記木枠下台との間で前記クッション材は圧縮されるが、その圧縮限界に達して底突きする前に、前記木枠下台が前記被梱包品の底面に向けてアーチ状に湾曲するに到ることを要旨とする。
請求項２に係る発明によれば、大きな衝撃が加わった際にもクッション材が先に底突きすることがなく、木枠下台をアーチ状に湾曲させて弾力性を該木枠下台に蓄積させることができる。
【００１３】
請求項３に記載の発明は、前記複数のクッション材は、前記被梱包品における底面の端縁に設けられ、前記底面に設けられる前記ナットは、これら複数のクッション材に挟まれた中間部位に位置していることを要旨とする。
請求項３に係る発明によれば、クッション材を被梱包品の底面に、該被梱包品の製造過程で設けることができて効率的である。
【００１４】
請求項４に記載の発明は、前記複数のクッション材は、前記木枠下台の上方端縁に設けられ、該木枠下台に開設される前記貫通孔は、これら複数のクッション材に挟まれた中間部位に位置していることを要旨とする。
請求項４に係る発明によれば、被梱包品の製造過程とは関係なく、木枠下台に独立して設けておけばよいので汎用性がある。
【００１５】
請求項５に記載の発明は、前記木枠下台は、左右一対の側板と、各側板の上面に位置して両側板を接続する上板と、各側板の下面に位置して両側板を接続する下板とからなり、
前記上板は、その中間部において左右に分離されていることを要旨とする。
【００１６】
請求項６に記載の発明は、前記木枠下台は、左右一対の側板と、各側板の上面に位置して両側板を接続する上板と、各側板の下面に位置して両側板を接続する下板とからなり、
前記側板をクッション材で構成したことを要旨とする。
【００１７】
請求項７に記載の発明は、前記木枠下台は、左右一対の側板と、各側板の上面に位置して両側板を接続する上板と、各側板の下面に位置して両側板を接続する下板とからなり、
前記上板の下面と前記側板の上面との間にクッション材が配設されていることを要旨とする。
請求項５〜７に係る発明は、木枠下台にクッション性を付与することで、衝撃吸収特性を更に向上させることができる。
【発明の効果】
【００１８】
本発明によれば、被梱包品と木枠下台との間に介在するクッション材と、前記木枠下台が湾曲して溜め込んだ弾力性とにより、該梱包構造の落下時の衝撃を両者の相乗作用により効果的に吸収し、これにより被梱包品の底面等の損傷を有効に防止することができる。
【図面の簡単な説明】
【００１９】
【図１】実施例に係る梱包構造の正面図であって、被梱包品としての冷蔵庫が木枠下台に載置された状態を示している。
【図２】冷蔵庫における底面の四隅に、矩形状のクッション材を設けた状態を示す斜視図である。
【図３】冷蔵庫における底面の左右両側に、バー状のクッション材を設けた状態を示す斜視図である。
【図４】矩形状のクッション材を、木枠下台における上板の四隅に設けた状態を示す斜視図である。
【図５】冷蔵庫を木枠下台に載置し、両部材をボルトとナットとで締結する状態を示す一部切欠き正面図であって、(ａ)はボルトの先端をナットに捩じ込んだ初期状態を示し、(ｂ)はボルトをナットに充分捩じ込んだことにより、木枠下台の中央が冷蔵庫に向けて上方へアーチ状に湾曲した状態を示している。
【図６】木枠下台の第１変更例を示す斜視図である。
【図７】図６に示す第１変更例に係る木枠下台に、冷蔵庫を載置した状態で示す正面図である。
【図８】木枠下台の第２変更例を示す斜視図である。
【図９】図８に示す第２変更例に係る木枠下台に、冷蔵庫を載置した状態での正面図である。
【図１０】第３変更例に係る木枠下台に、冷蔵庫を載置した状態で示す正面図である。
【図１１】被梱包品を木枠下台の定位置に載置した状態を示す従来技術の正面図である。
【図１２】梱包構造の従来技術を説明する概略図であって、(ａ)は被梱包品の底面にナットを設けた状態を示す底面斜視図、(ｂ)は木枠下台に貫通孔を開設した状態を示す斜視図、(ｃ)は木枠下台に被梱包品を載置する直前の状態を示す一部断面図であって、木枠下台に開設した貫通孔へボルトを下から差し込み、被梱包品の底面に設けたナットへ捩じ込む直前の状態を示している。
【発明を実施するための形態】
【００２０】
次に、本発明に係る梱包構造につき、好適な実施例を挙げて、添付図面を参照しながら説明する。本実施例において被梱包品１２は、図１１で説明した業務用冷蔵庫であり、この冷蔵庫１２が載置されるのは、同じく図１１および図１２(ｂ)で説明した木枠下台１４である。従って木枠下台１４等の基本構成は先に説明した通りであるので、同一部材については同じ参照符号を付して説明は省略する。本実施例では、図１および図５に示すように、冷蔵庫１２の底面１２ａと木枠下台１４との間にクッション材２８が介装され、かつ木枠下台１４と冷蔵庫１２とをナット２２へのボルト２４の捩じ込みにより固定するようになっている。そして、前記ボルト２４をナット２２へ捩じ込むに連れて、前記木枠下台１４が冷蔵庫１２の側へ湾曲し弾力性を該木枠下台１４へ付与するに到るものである。
【００２１】
すなわち図２は、冷蔵庫１２の底面１２ａを下方から観察した斜視図であり、この底面１２ａの四隅に、例えば矩形状で所要厚みを有するクッション材２８が接着剤により固定されている。図３は、図２と同じ斜視図であって、長尺のバー状に形成したクッション材２８が、冷蔵庫１２における底面１２ａの左右両側に接着固定されている。なお前記クッション材２８は、冷蔵庫１２の底面１２ａに固定することが要件ではなく、図４に示すように、木枠下台１４の上板１８の四隅に設けるようにしてもよい。そして、何れの場合であっても、冷蔵庫１２を木枠下台１４に載置すると、図１および図５に示すように、冷蔵庫１２と木枠下台１４との間に圧縮された状態で介在する。
【００２２】
また図４に示す如く、木枠下台１４の上板１８には、貫通孔２６が開設される。この貫通孔２６は、図１および図５に示すように、冷蔵庫１２を木枠下台１４へ定位置で載置した場合に、冷蔵庫１２の底面１２ａに設けた前記ナット２２と軸線が上下に整列する位置に設定される。図４に示す実施例では、木枠下台１４の前後に離間して位置する２つの上板１８において、中央側板１６を回避した個所で、かつ該中央側板１６に近接した個所に前記貫通孔２６が開設される。そして図５(ａ)に示すように、冷蔵庫１２を木枠下台１４に正しく載置すると、冷蔵庫１２の底面１２ａに設けたナット２２は木枠下台１４に開設した貫通孔２６に整列しているので、木枠下台１４の上板１８の下方から前記ボルト２４を貫通孔２６に挿入すると、該ボルト２４の先端は前記ナット２２に衝合する。そこでボルト２４をナット２２に対して捩じ込むことにより、冷蔵庫１２が木枠下台１４に確実に固定される。
【００２３】
この場合に本実施例では、前記クッション材２８の圧縮耐力が木枠下台１４の圧縮耐力よりも大きくなるように、該クッション材２８の材質が選定されている。すなわち本実施例では、図５(ａ)に示すように、冷蔵庫１２を木枠下台１４に載置した際に、該冷蔵庫１２の底面１２ａと木枠下台１４の上板１８との間には、前記クッション材２８が介在している。このときクッション材２８の圧縮に対する抗力が小さいと、前記ボルト２４をナット２２へ捩じ込むに連れて、該クッション材２８は冷蔵庫１２と木枠下台１４とに挟まれて圧縮され、最終的には底突きして弾力性を発揮できなくなる。しかし、前述したようにクッション材２８が圧縮される際の耐力(圧縮抗力)を、前記木枠下台１４に外部応力が加わって圧縮変形する際の耐力よりも大きく設定することにより、前記ボルト２４の捩じ込みが進行すると、クッション材２８は或る程度圧縮されるものの、両者の圧縮耐力の均衡を超えた時点で、図５(ｂ)に示す如く、木枠下台１４の中央が冷蔵庫１２の底面１２ａに向けて上方へ湾曲するに到る。すなわち木枠下台１４は、その中央において上方へアーチ形に反り返って湾曲し、しかも冷蔵庫１２と木枠下台１４とに挟まれた前記クッション材２８は底突きしていないため、該クッション材２８に固有の弾力性も発揮されることになる。ここでクッション材２８の材質としては、例えば合成ゴムおよび発泡フォーム等の弾力性を有する材料であって、前述の如くその圧縮抗力が木枠下台１４が外部応力により撓む際の圧縮抗力よりも大きいものが選定される。なおクッション材２８としては、つる巻きバネやリーフスプリング等のものであっても、前記木枠下台１４に対して前記圧縮抗力の関係を充足するものであれば使用可能である。
【００２４】
前述したように、被梱包品である冷蔵庫１２を木枠下台１４の定位置に載置した後に、前記ボルト２４を該木枠下台１４の上板１８に開設した貫通孔２６に垂直上方へ挿通し、該ボルト２４を冷蔵庫１２の底面１２ａに設けた前記ナット２２に捩じ込んで締め上げていけば、その捩じ込みの進行に連れて前記木枠下台１４は冷蔵庫１２の底面１２ａに向けてアーチ状に突出湾曲するに到る。このため冷蔵庫１２と木枠下台１４との間に前記クッション材２８を圧縮的に介在させた形で、図１および図５(ｂ)に示すように、該木枠下台１４はアーチ状に湾曲して弾力性を蓄積した状態になっている。
【００２５】
従って本発明の梱包構造では、被梱包品１２と木枠下台１４との間に介在するクッション材２８と、前記木枠下台１４が湾曲して溜め込んだ弾力性とにより、該梱包構造の落下時の衝撃を両者の相乗作用により効果的に吸収し、これにより被梱包品１２の底面１２ａ等の損傷を有効に防止することができる。例えば、前記梱包構造を或る程度の高さから垂直に落下させた場合は、木枠下台１４が上方へ向けてアーチ状に湾曲しているため、該木枠下台１４と被梱包品１２との左右に介在させたクッション材２８が一次的に衝撃を吸収する。次いで、アーチ形に湾曲している木枠下台１４が、前記衝撃を受けて直線的に水平方向へ延伸することで該木枠下台１４が蓄積していた弾力が解放されて、該衝撃を二次的に吸収する。次に、前記梱包構造を地面に対して傾いた状態で片側落下させた場合は、最初に木枠下台１４の片方(接地側)に衝撃が加わった後に他方側が着地する。この場合も前記クッション材２８の弾力および木枠下台１４が蓄積した弾力の解放により、片側落下時の衝撃を有効に吸収することができる。
【００２６】
〔木枠下台の変形例について〕
(１)本実施例で使用する木枠下台１４は、図４および図１２(ｂ)に示した構造のものが好適に使用されるが、該木枠下台１４には種々の変形例が考えられる。例えば図６に示す第１変更例において、前記木枠下台１４は、左右一対の側板１６と、各側板１６の上面に位置して両側板１６を接続する上板１８と、各側板１６の下面に位置して両側板１６を接続する下板２０とから構成されるが、前記上板１８は、その中間部において左右に所定の間隔を保持して分離されている。このように構成した木枠下台１４の定位置に、図７に示すように、冷蔵庫１２が載置される。そして前記ボルト２４をナット２２に捩じ込んで締め付けることにより、該木枠下台１４の左右に分離した上板１８が下板２０に対し弾力性を持つに到る。
(２)また木枠下台１４は、図８の第２変更例に示すように、左右一対の側板１６と、各側板１６の上面に位置して両側板１６を接続する上板１８と、各側板１６の下面に位置して両側板１６を接続する下板２０とから構成され、前記側板１６をクッション材２８で構成するようにしてもよい。このように構成した木枠下台１４の定位置に、図９に示す如く、冷蔵庫１２を載置し、前記ボルト２４とナット２２との締め付けにより冷蔵庫１２は木枠下台１４に確実に固定される。このとき木枠下台１４は各側板１６と上板１８との間に前記クッション材２８が介在しているから、梱包構造を落下させた際の衝撃は前記クッション材２８が好適に吸収する。
(３)更に図１０の第３変更例に示すように、前記木枠下台１４は、左右一対の側板１６と、各側板１６の上面に位置して両側板１６を接続する上板１８と、各側板１６の下面に位置して両側板１６を接続する下板２０とから構成し、前記上板１８の下面と前記側板１６の上面との間にクッション材２８を配設するようにしてもよい。
【符号の説明】
【００２７】
１２  冷蔵庫(被梱包品)，１２ａ  底面，１４  木枠下台，１６  側板，１８  上板，
２０  下板，２２  ナット，２４  ボルト，２６  貫通孔，２８  クッション材
【図１】
2015205704.tif 000003
【図２】
2015205704.tif 000004
【図３】
2015205704.tif 000005
【図４】
2015205704.tif 000006
【図５】
2015205704.tif 000007
【図６】
2015205704.tif 000008
【図７】
2015205704.tif 000009
【図８】
2015205704.tif 000010
【図９】
2015205704.tif 000011
【図１０】
2015205704.tif 000012
【図１１】
2015205704.tif 000013
【図１２】
2015205704.tif 000014